(57)【要約】  【課題】    照明モジュールを備えたマイクロフォンを導入し、対応して接続される無線通信装置を改造する必要なく照明機能を付加した無線通信装置用マイクロフォンの提供。 【解決手段】    本考案の無線通信装置用マイクロフォンは、少なくともマイクロフォン本体と、該マイクロフォン本体を無線通信装置に接続するために用いるコネクタと、該マイクロフォン本体と該コネクタを接続する延長コードと、該マイクロフォン本体上に設置され、該マイクロフォン本体を該無線通信装置に接続するとき、光源を提供し照明機能を付加する照明モジュールとを含む。  【選択図】    図２
0003110019.tif 000002
【実用新案登録請求の範囲】
【請求項１】
少なくとも、マイクロフォン本体と、該マイクロフォン本体を無線通信装置に接続するために用いるコネクタと該マイクロフォン本体と該コネクタを接続する延長コードと、該マイクロフォン本体上に設置され、該マイクロフォン本体が該無線通信装置に接続されたとき、光源に照明を提供させるために用いる照明モジュールとを含む無線通信装置用マイクロフォン。
【請求項２】
さらに、該マイクロフォン本体に接続された対話操作ボタンを含み、該対話操作ボタンが押されると該マイクロフォン本体が音声情報を受信し、該音声情報を該無線通信装置に伝送する請求項１に記載の無線通信装置用マイクロフォン。
【請求項３】
さらに、該マイクロフォン本体上に設置され、該照明モジュールに接続されて該照明モジュールの動作を制御するために用いる照明制御ボタンを含む請求項１に記載の無線通信装置用マイクロフォン。
【請求項４】
さらに、該照明モジュールに接続され、独立した電源を提供する電源セットを含む請求項１に記載の無線通信装置用マイクロフォン。
【請求項５】
前記照明モジュールが高仕事率の照明ランプセットである請求項１に記載の無線通信装置用マイクロフォン。
【請求項６】
前記照明モジュールが白熱電球である請求項１に記載の無線通信装置用マイクロフォン。
【請求項７】
前記照明モジュールがLEDランプである請求項１に記載の無線通信装置用マイクロフォン。
【請求項８】
少なくともマイクロフォン本体と、該マイクロフォン本体を該無線通信装置に接続するために用いるコネクタと、該マイクロフォン本体と該コネクタを接続する延長コードと、該マイクロフォン本体上に設置された照明モジュールと、該照明モジュールに接続された電源セットと、該照明モジュールと該電源セットの間に設置され、該照明モジュールの動作を制御し、光源に照明を提供させる照明制御ボタンとを含む無線通信装置用マイクロフォン。
【請求項９】
前記電源セットが電池である請求項８に記載の無線通信装置用マイクロフォン。
【考案の詳細な説明】
【技術分野】
【０００１】
本考案はマイクロフォンに関し、詳細には、無線通信装置に用いるマイクロフォンに関する。
【背景技術】
【０００２】
一般的に、無線通信装置は音声情報の発信と受信に用いられる。従来の無線通信装置は少なくとも、発信機、受信機、マイクロフォン、スピーカ、アンテナ、電源セットを含んで成り、図１に示すように、該無線通信装置１は、マイクロフォン１１、スピーカ１２、アンテナ１３、電源セット１４を含み、その内部に発信機と受信機(図には未表示)を備え、情報の伝送と受信を行う。また、ハンディタイプの無線通信装置のほとんどは電池を電源としており、車用無線通信装置のほとんどは自動車から電源を得て用いられる。
【０００３】
使用者がマイクロフォンに向かって発話すると、その音声信号が電子信号に変換される。この信号が発信機による処理で増幅されて無線信号となり、さらにアンテナへ送られ、アンテナからこの無線信号が空中に発信される。受信方のアンテナがこの無線信号を受け取り、この信号を受信機へ送る。さらに受信機がこの無線信号を元の音声に変換して無線通信装置のスピーカから出力し、このとき元の音声情報を聞くことができる。
【０００４】
しかしながら、実際に使用するとき、無線通信装置本体の体積及び重量が大きいため、握ったり動かしたりすることが容易ではなく、このため、一般的な無線通信装置には、図１に示すように、延長マイクロフォン２を設置し、操作と使用上の利便性を得ている。該延長マイクロフォン２の構造は、制御ボタン２１、延長接続コード２２、コネクタ２３、マイクロフォン２４及びスピーカ２５を含む。該コネクタ２３と無線通信装置１本体の接続孔１５を接続すると使用することができる。しかし、従来の延長マイクロフォン２は、操作上の利便性は得られるものの、その他いかなる付加機能もなく単純なものである。
【０００５】
さらに、従来の無線通信装置は照明設備が設置されていないため、暗闇の中や照明が不足する場所で使用するとき非常に不便であり、また周辺環境をはっきりと知ることができない。
【０００６】
このように、従来の無線通信装置はその装備に制限され、付加的に照明を提供することはできない。本考案は、考案者の該項事業における長年の経験に基づき研究を重ね、無線通信装置に用いる照明機能付きのマイクロフォンの開発に成功したものであり、該照明機能付のマイクロフォンの導入により、一般的な無線通信装置に照明機能を付加し、無線通信装置を改造せずに照明機能を付加することが可能になる。
【考案の開示】
【考案が解決しようとする課題】
【０００７】
本考案の主な目的は、照明モジュールを備えたマイクロフォンを導入することにより、対応して接続される無線通信装置を改造する必要なく照明機能を付加した、無線通信装置に用いるマイクロフォンを提供することにある。
【課題を解決するための手段】
【０００８】
上述の目的を達するため、本考案の無線通信装置用マイクロフォンは、少なくともマイクロフォン本体と、該マイクロフォン本体を無線通信装置に接続するために用いるコネクタと、該マイクロフォン本体と該コネクタを接続する延長コードと、該マイクロフォン本体上に設置され、該マイクロフォン本体を該無線通信装置に接続するとき、光源を提供し照明機能を付加する照明モジュールとを含む。
【０００９】
上述の構想に基づき、該マイクロフォンはさらに該マイクロフォン本体に接続された対話操作ボタンを含み、該対話操作ボタンが押されると、音声情報が該無線通信装置に伝送される。
【００１０】
上述の構想に基づき、該マイクロフォンはさらに該マイクロフォン本体上に設置され、該照明モジュール上に接続された照明制御ボタンを含み、該照明モジュールの動作の操作に用いられる。
【００１１】
上述の構想に基づき、該マイクロフォンはさらに該照明モジュールに接続された電源セットを含み、独立した電源を提供するために用いられる。
【００１２】
上述の構想に基づき、前記照明モジュールは高仕事率の照明ランプセットとする。
【００１３】
上述の構想に基づき、前記照明モジュールは白熱電球とする。
【００１４】
上述の構想に基づき、前記照明モジュールはLEDランプとする。
【００１５】
本考案の無線通信装置用マイクロフォンの別の実施例は、少なくともマイクロフォン本体と、該マイクロフォン本体に接続され、該マイクロフォン本体を該無線通信装置に接続するために用いるコネクタと、該マイクロフォン本体上に設置され、該マイクロフォン本体を該無線通信装置に接続するとき、光源を提供し照明機能を得るために用いる照明モジュールとを含む。
【００１６】
上述の構想に基づき、該マイクロフォンはさらに該マイクロフォン本体に接続された対話操作ボタンを含み、該対話操作ボタンが押されると該音声情報が該無線通信装置に伝送される。
【００１７】
上述の構想に基づき、該マイクロフォンはさらに該マイクロフォン本体上に設置され、該照明モジュール上に接続された照明制御ボタンを含み、該照明モジュールの動作を制御するために用いられる。
【００１８】
上述の構想に基づき、該マイクロフォンはさらに該照明モジュールに接続された電源セットを含み、独立した電源を提供するために用いられる。
【００１９】
上述の構想に基づき、前記照明モジュールは高仕事率の照明ランプセットとする。
【００２０】
上述の構想に基づき、前記照明モジュールは白熱電球とする。
【００２１】
上述の構想に基づき、前記照明モジュールはLEDランプとする。
【００２２】
上述の構想に基づき、該マイクロフォンはさらに該マイクロフォン本体と該コネクタを接続する延長コードを含む。
【００２３】
本考案のさらに別の目的は、少なくともマイクロフォン本体と、該マイクロフォン本体を無線通信装置に接続するために用いるコネクタと、該マイクロフォン本体と該コネクタを接続する延長コードと、該マイクロフォン本体上に設置された照明モジュールと、該照明モジュールに接続された電源セットと、該照明モジュールと該電源セット間に設置され、該照明モジュールの動作を制御し、照明機能を提供する照明制御ボタンとを含む無線通信装置用の照明機能付マイクロフォンを提供することにある。
【００２４】
上述の構想に基づき、該電源セットは電池とする。
【００２５】
上述の構想に基づき、前記照明モジュールは高仕事率の照明ランプセットとする。
【００２６】
上述の構想に基づき、前記照明モジュールは白熱電球とする。
【００２７】
上述の構想に基づき、前記照明モジュールはLEDランプとする。
【００２８】
上述の実施例は本考案を制限するものではなく、本考案のその他特徴は以下に述べる通りとする。本考案は添付の実用新案登録請求の範囲により定義される。
【考案を実施するための最良の形態】
【００２９】
以下で述べる実施例は本考案を説明するためのものであり、本考案を制限するものではなく、本考案は特殊な材料や処理手順、または寸法による制限も受けない。本考案は添付の実用新案登録請求の範囲により定義される。
【００３０】
以下、本考案の無線通信装置用マイクロフォンについて、以下の照明機能を備えたマイクロフォンの構造を実施例として説明する。但し、本考案の技術を応用できるマイクロフォンは、本考案で挙げる実施例のみに留まらず、以下の技術的特徴を適用したあらゆるマイクロフォンもすべて参考とすることができる。本考案は照明モジュールを備えたマイクロフォンの導入により、その対応して接続される該無線通信装置を改造する必要なく、照明機能を付加することができ、且つ、各単一のマイクロフォンは美観と実用性を兼ね備え、製造が容易であり、操作者による調整と手入れが簡単であるという利点がある。
【実施例１】
【００３１】
図２に本考案の実施例１のマイクロフォンを示す。本考案のマイクロフォンは無線通信装置１に応用され、その構造は、少なくともマイクロフォン本体３１、該マイクロフォン本体３１を該無線通信装置１に接続するためのコネクタ３２、該マイクロフォン本体３１と該コネクタ３２を接続する延長コード３３と、該マイクロフォン本体３１上に設置され、該マイクロフォン本体３１が該無線通信装置１に接続されたとき光源に照明を提供させるために用いる照明モジュール３４とを含む。
【００３２】
実際の応用において、該マイクロフォンはさらに該マイクロフォン本体３１に接続された対話操作ボタン３５を含むことができ、該対話操作ボタン３５が押されると、該音声情報が該無線通信装置１に伝送される。該照明モジュール３４の操作は、前述のコネクタ３２を該無線通信装置１に挿入した後直接発光するほか、さらに該マイクロフォン本体３１上に照明制御ボタン３６を設け、該照明モジュール３４に接続して該照明モジュール３４の動作の制御に用いてもよい。そのうち、該照明モジュール３４は高仕事率の照明ランプセットとし、例えば高仕事率のLEDを光源とすることができる。
【実施例２】
【００３３】
図３に本考案の実施例２のマイクロフォンを示す。この実施例におけるマイクロフォンは、少なくともマイクロフォン本体３１、該マイクロフォン本体３１を該無線通信装置１に接続するためのコネクタ３２、該マイクロフォン本体３１上に設置され、該マイクロフォン本体３１が該無線通信装置１に接続されたとき光源に照明を提供させるために用いる照明モジュール３４とを含む。同様に、該マイクロフォンはさらに該マイクロフォン本体３１に接続された対話操作ボタン３５を含むことができ、該対話操作ボタン３５が押されると、該音声情報が該無線通信装置１に伝送される。さらに、本考案のマイクロフォンは該コネクタ３２に接続したスピーカ３７を設けてもよく、これにより該無線通信装置１が伝送する受信情報を受け取り、出力することができる。
【００３４】
実際の応用において、該マイクロフォン本体３１上にさらに照明制御ボタン３６を設けてもよく、該照明モジュール３４に接続して該照明モジュール３４の動作の制御に用いてもよい。これに合わせ、該マイクロフォンの構造にさらに電源セット３８を設け、該照明モジュール３４に接続して独立した電源を提供することで、該照明モジュール３４の操作をより有利にしてもよく、該電源セット３８は電池とすることができる。このほか、該照明モジュール３４は白熱電球とすることができ、該マイクロフォン本体３１と該コネクタ３２は同様に延長コード３３により接続される。
【実施例３】
【００３５】
図４に本考案の実施例３の無線通信装置用照明機能付マイクロフォンを示す。その構造は少なくともマイクロフォン本体３１、該マイクロフォン本体３１を該無線通信装置１に接続するために用いるコネクタ３２、該マイクロフォン本体３１と該コネクタ３２間を接続する延長コード３３、該マイクロフォン本体３１上に設置された照明モジュール３４、該照明モジュール３４に接続された電源セット３８、該照明モジュール３４と該電源セット３８間に設置され、該照明モジュール３４の動作を制御し、光源に照明を提供させるために用いる照明制御ボタン３６とを含む。前述の実施例と比較すると、本実施例における該照明モジュール３４は回転させることで電源を制御することができ、そのうち、該照明モジュール３４は高仕事率の照明ランプセットとし、白熱電球またはLEDランプとすることができる。
【００３６】
上述のように、本考案が提供する無線通信装置用マイクロフォンは、照明モジュールを備えたマイクロフォンを導入することにより、それぞれ対応して接続された該無線通信装置を改造する必要なく照明機能を付加し、その機能を向上することができる。また、マイクロフォンに組み合わせた延長コードにより、使用者は必要に応じて移動しながら使用することができる。
【００３７】
上述の実施例の詳細な説明に基づいたあらゆる修飾や変化もすべて本考案の要旨を逸脱しないものとみなし、実用新案登録請求の範囲により保護される。
【図面の簡単な説明】
【００３８】
【図１】従来の無線通信装置及び延長マイクロフォンを示す立体斜視図である。
【図２】本考案の無線通信装置用マイクロフォンの実施例１を示す立体斜視図である。
【図３】本考案の無線通信装置用マイクロフォンの実施例２を示す立体透視図である。
【図４】本考案の無線通信装置用マイクロフォンの実施例３を示す立体斜視図である。
【符号の説明】
【００３９】
１        無線通信装置
１１      マイクロフォン
１２      スピーカ 
１３      アンテナ
１４      電池セット 
１５      接続孔
２        延長マイクロフォン
２１      制御ボタン
２２      延長接続コード
２３      コネクタ
２４      マイクロフォン
２５      スピーカ
３１      マイクロフォン本体
３２      コネクタ
３３      延長コード                                                         
３４      照明モジュール
３５      対話操作ボタン  
３６      照明制御ボタン
３７      スピーカ             
３８      電源セット
【図１】
0003110019.tif 000003
【図２】
0003110019.tif 000004
【図３】
0003110019.tif 000005
【図４】
0003110019.tif 000006